(57)【要約】【課題】異なる寸法の突起状端子に取り付け可能とし、振動のある環境でもノイズフィルタが外れることがなく、取り付けの手間が容易とする。【解決手段】突起状端子３の径に対して広い内径を有するノイズフィルタ１であって、入出力端子２に当接する導電性のリング１１と、軸心方向に沿ったねじ穴１３１を有する導電性の円筒の回転部材１３と、リング１１および回転部材１３間に配置され、一端がリング１１に導通し、他端が回転部材１３に導通し、両端以外が円筒の絶縁体１２１に埋め込まれた絶縁体被覆コイル１２と、ねじ穴１３１と螺合したねじ山１４１を有する導電性の円筒の支持部材１４と、支持部材１４の軸心周りに複数設けられ、支持部材１４を突起状端子３に固定する固定機構１５とを備え、回転部材１３は、支持部材１４が突起状端子３に固定された後に回転されることで自身の位置が入出力端子２側に移動され、リング１１を入出力端子２に押し付ける。【選択図】図１
2014207649.tif 000002
【特許請求の範囲】
【請求項１】
機器の入出力端子に接続された突起状端子の径に対して広い内径を有し、当該突起状端子に挿入されて取り付けられる円筒状のノイズフィルタであって、
前記入出力端子に当接する導電性のリングと、
前記入出力端子側の面とは反対側の面に軸心方向に沿った螺合部を有する導電性の円筒の回転部材と、
前記リングおよび前記回転部材間に配置され、一端が当該リングに導通し、他端が当該回転部材に導通し、両端以外の線材部分が円筒の絶縁体の中に埋め込まれた絶縁体被覆コイルと、
前記螺合部と螺合した被螺合部を有する導電性の円筒の支持部材と、
前記支持部材の軸心周りに複数設けられ、当該支持部材を前記突起状端子に固定する固定機構とを備え、
前記回転部材は、前記支持部材が前記突起状端子に固定された後に、軸心周りに回転されることで前記螺合部・前記被螺合部により自身の位置が前記入出力端子側に移動され、前記リングを前記入出力端子に押し付ける
ことを特徴とするノイズフィルタ。
【請求項２】
前記固定機構は、
前記支持部材内に軸心方向に移動可能に収納され、当該軸心方向に移動することで前記突起状端子を挟持する複数の突起状端子固定具と、
前記支持部材の外周面に設けられ、ねじ締めされることで前記突起状端子固定具を前記支持部材の軸心側に押し付ける複数の固定ねじとを備えた
ことを特徴とする請求項１記載のノイズフィルタ。
【請求項３】
機器の入出力端子に接続された突起状端子の径に対して広い内径を有し、当該突起状端子に挿入されて取り付けられる円筒状のノイズフィルタであって、
前記入出力端子に当接し、当該当接面とは反対側の面に軸心方向に沿った螺合部を有する導電性の円筒の回転部材と、
前記螺合部と螺合した被螺合部を有する導電性の円筒の回転受け部材と、
前記回転受け部材より前記突起状端子の先端側に位置する導電性の円筒の連結部材と、
前記回転受け部材および前記連結部材間に配置され、一端が当該回転受け部材に導通し、他端が当該連結部材に導通し、両端以外の線材部分が円筒の絶縁体の中に埋め込まれた絶縁体被覆コイルと、
前記連結部材の軸心周りに複数設けられ、当該連結部材を前記突起状端子に固定する固定機構とを備え、
前記回転部材は、前記連結部材が前記突起状端子に固定された後に、軸心周りに回転されることで前記螺合部・前記被螺合部により自身の位置が前記入出力端子側に移動され、当該入出力端子側に押し付けられる
ことを特徴とするノイズフィルタ。
【請求項４】
機器の入出力端子に接続された突起状端子の径に対して広い内径を有し、当該突起状端子に挿入されて取り付けられる円筒状のノイズフィルタであって、
前記入出力端子に当接し、押しばねにより自身を軸心方向に伸張可能な導電性の円筒の押しばね機構と、
前記押しばね機構より前記突起状端子の先端側に位置する導電性の円筒の連結部材と、
前記押しばね機構および前記連結部材間に配置され、一端が当該押しばね機構に導通し、他端が当該連結部材に導通し、両端以外の線材部分が円筒の絶縁体の中に埋め込まれた絶縁体被覆コイルと、
前記連結部材の軸心周りに複数設けられ、当該連結部材を前記突起状端子に固定する固定機構とを備え、
前記押しばね機構は、前記連結部材が前記突起状端子に固定された後に、前記押しばねにより自身が伸張することで前記入出力端子側に押し付けられる
ことを特徴とするノイズフィルタ。
【請求項５】
機器の入出力端子に接続された突起状端子の径に対して広い内径を有し、当該突起状端子に挿入されて取り付けられる円筒状のノイズフィルタであって、
前記入出力端子に当接する導電性のリングと、
押しばねにより自身を軸心方向に伸張可能な導電性の円筒の押しばね機構と、
前記リングおよび前記押しばね機構間に配置され、一端が当該リングに導通し、他端が押しばね機構に導通し、両端以外の線材部分が円筒の絶縁体の中に埋め込まれた絶縁体被覆コイルと、
前記押しばね機構より前記突起状端子の先端側に位置する導電性の円筒の連結部材と、
前記連結部材の軸心周りに複数設けられ、当該連結部材を前記突起状端子に固定する固定機構とを備え、
前記押しばね機構は、前記連結部材が前記突起状端子に固定された後に、前記押しばねにより自身が伸張することで、前記リングを前記入出力端子側に押し付ける
ことを特徴とするノイズフィルタ。
【請求項６】
前記押しばね機構は、
雌ばねケースと、
前記雌ばねケースと係合した雄ばねケースと、
前記雌ばねケースおよび前記雄ばねケース間に配置され、当該雌ばねケースおよび当該雄ばねケースを軸心方向に付勢する押しばねとを備えた
ことを特徴とする請求項４または請求項５記載のノイズフィルタ。
【請求項７】
前記押しばね機構は、
前記雄ばねケースおよび前記雌ばねケースを導通するジャンパー線を備えた
ことを特徴とする請求項６記載のノイズフィルタ。
【請求項８】
前記固定機構は、
前記連結部材内に軸心方向に移動可能に収納され、当該軸心方向に移動することで前記突起状端子を挟持する複数の突起状端子固定具と、
前記連結部材の外周面に設けられ、ねじ締めされることで前記突起状端子固定具を前記連結部材の軸心側に押し付ける複数の固定ねじとを備えた
ことを特徴とする請求項３から請求項７のうちのいずれか１項記載のノイズフィルタ。
【請求項９】
前記入出力端子と前記絶縁体被覆コイルとの間に配置され、前記突起状端子の径に対して広い内径を有して当該突起状端子に挿入される、導電性のリング状の入出力端子接続部材と、
前記機器の金属筐体と導通する機構を有する筐体接続部材と、
前記入出力端子接続部材と前記筐体接続部材とを接続する連結部材とを備え、
前記入出力端子接続部材、前記筐体接続部材、前記連結部材のうち少なくとも１つにキャパシタンス成分を有する部材を実装し、前記入出力端子と前記金属筐体とが前記キャパシタンス成分を有する部材を介して導通する
ことを特徴とする請求項１から請求項８のうちのいずれか１項記載のノイズフィルタ。
【請求項１０】
一端部が、前記入出力端子と前記絶縁体被覆コイルとの間に配置され、前記突起状端子の径に対して広い内径を有して当該突起状端子に挿入されるリング状であり、かつ他端部が、前記機器の金属筐体と導通する機構を有する導電性の２端子部材を備え、
前記一端部と前記他端部との間にキャパシタンス成分を有する部材を実装し、前記入出力端子と前記金属筐体とが前記キャパシタンス成分を有する部材を介して導通する
ことを特徴とする請求項１から請求項８のうちのいずれか１項記載のノイズフィルタ。
【発明の詳細な説明】
【技術分野】
【０００１】
この発明は、突起状端子に取り付けるノイズフィルタに関するものである。
【背景技術】
【０００２】
一般の電子機器において、内部で用いられる高周波信号がケーブルに漏れ込み、自機と他の機器とを結ぶケーブルを伝搬すると、周囲の機器に悪影響を与える。また、ケーブルがアンテナとなり高周波信号を放射すると、直接ケーブルに接続されていない機器にも悪影響を与える。そのため、高周波信号をケーブルに漏らさないことが望まれており、漏れる高周波信号を低減する目的で、機器とケーブルを繋げるコネクタの近くにノイズフィルタを取り付けている。
【０００３】
ここで、機器内部にノイズフィルタを実装できない場合に、機器とケーブルとを繋ぐ端子にノイズフィルタを実装する方法が知られている（例えば特許文献１参照）。特許文献１はノイズフィルタ付きコネクタに関するもので、ピンプラグ（端子）とコード（ケーブル）との間に、ノイズフィルタとしてのトロイダル型チョークコイルを配する方法が示されている。
【０００４】
一方、機器を振動のある環境で用いるために、ケーブルに接続された圧着端子を留め具で機器が持つ突起状端子に締め付けることで、機器とケーブルとを接続する方法がある。このような機器にノイズフィルタを実装する際には、突起状端子に装着可能なフィルタを形成する必要がある。
この際、ノイズフィルタ、突起状端子の形状を、それぞれ簡略化して円筒、円柱と考える。そして、円柱に対する円筒の装着と考えた場合、以下の特許文献２−６に示す方法が知られている。
【０００５】
特許文献２は可変インダクタンスコイルに関するもので、ボビン側面に貫通するねじ山を設け、ねじ山に挿入した雄ねじで中の円柱を固定する方法が示されている。
【０００６】
特許文献３は、管状支柱の接続装置に関するもので、嵌挿筒部の厚肉部に螺子孔を設け、締付け螺子を螺合して組付けて、下側支柱の上円周上端に添設する方法が示されている。
【０００７】
特許文献４は、ベローズの固定部構造に関するもので、環状のカラーに適宜数配設された螺子孔からのセットスクリューの螺入締結により、軸に固定される方法が示されている。
【０００８】
特許文献５は、回転支持棒の保持方法に関するもので、回転支持棒を、回転機構に周方向に１２０度の等間隔で装着されている３本のボルトからなる締付具で締め付け、固定する方法が示されている。
【０００９】
特許文献６は、連結具を用いた連結方法に関するもので、筒状部材の長手方向に所定の間隔で筒状部材の周壁部を貫通するように複数個のねじ孔が形成され、いもねじの先端が棒状部材に当接するまでねじを締め付けるものが示されている。
【先行技術文献】
【特許文献】
【００１０】
【特許文献１】特開平７-２８２９０７号公報
【特許文献２】実開平０１-０９７５３３号公報
【特許文献３】特開２００４-０２８１５５号公報
【特許文献４】実開昭６１-０９４６５１号公報
【特許文献５】特開２００９-２２８７２１号公報
【特許文献６】特開２０１０-１８０９５７号公報
【発明の概要】
【発明が解決しようとする課題】
【００１１】
突起状端子にノイズフィルタを実装する場合、突起状端子の外径や寸法は種類によって異なる。そのため、取り付ける端子の形状が決まった従来例（特許文献１）では、様々な外径の突起状端子に対応したノイズフィルタを用意しなければならないという課題がある。
また、突起状端子にノイズフィルタを固定するには、ノイズフィルタと機器の電気的導通が常に保たれる必要がある。しかしながら、ねじや板材で円筒を円柱に固定する従来例（特許文献２−６）では、突起状端子の長手方向に固定することができないため、長手方向にかかる力に弱く、例えば振動のように様々な方向からの力が働く取り付け場所に対して弱く、電気的導通を常に保つことが困難であるという課題があった。また、ねじで突起状端子を固定する方法は、ねじの先端と突起状端子が点で接するため固定する力が弱いという課題があった。また、板材で固定する方法では、固定する力はねじよりも強くなるが、板材とねじを同時に取り付ける必要があるため、取り付けに手間がかかるという課題があった。
また、突起状端子に取り付けるフィルタにおいて、高いフィルタ性能を得るための多段フィルタを構成する方法がないことが課題であった。更に、コンデンサを使ったフィルタを構成する場合、容易に取り付ける手段がないことが課題であった。
【００１２】
この発明は、上記のような課題を解決するためになされたもので、異なる寸法の突起状端子に取り付け可能であり、振動のある環境で用いてもノイズフィルタが外れることがなく機器とノイズフィルタの接続状態を保つことができ、取り付けの手間が容易であるノイズフィルタを提供することを目的としている。
【課題を解決するための手段】
【００１３】
この発明に係るノイズフィルタは、機器の入出力端子に接続された突起状端子の径に対して広い内径を有し、当該突起状端子に挿入されて取り付けられる円筒状のノイズフィルタであって、入出力端子に当接する導電性のリングと、入出力端子側の面とは反対側の面に軸心方向に沿った螺合部を有する導電性の円筒の回転部材と、リングおよび回転部材間に配置され、一端が当該リングに導通し、他端が当該回転部材に導通し、両端以外の線材部分が円筒の絶縁体の中に埋め込まれた絶縁体被覆コイルと、螺合部と螺合した被螺合部を有する導電性の円筒の支持部材と、支持部材の軸心周りに複数設けられ、当該支持部材を突起状端子に固定する固定機構とを備え、回転部材は、支持部材が突起状端子に固定された後に、軸心周りに回転されることで螺合部・被螺合部により自身の位置が入出力端子側に移動され、リングを入出力端子に押し付けるものである。
【００１４】
また、この発明に係るノイズフィルタは、機器の入出力端子に接続された突起状端子の径に対して広い内径を有し、当該突起状端子に挿入されて取り付けられる円筒状のノイズフィルタであって、入出力端子に当接し、当該当接面とは反対側の面に軸心方向に沿った螺合部を有する導電性の円筒の回転部材と、螺合部と螺合した被螺合部を有する導電性の円筒の回転受け部材と、回転受け部材より突起状端子の先端側に位置する導電性の円筒の連結部材と、回転受け部材および連結部材間に配置され、一端が当該回転受け部材に導通し、他端が当該連結部材に導通し、両端以外の線材部分が円筒の絶縁体の中に埋め込まれた絶縁体被覆コイルと、連結部材の軸心周りに複数設けられ、当該連結部材を突起状端子に固定する固定機構とを備え、回転部材は、連結部材が突起状端子に固定された後に、軸心周りに回転されることで螺合部・被螺合部により自身の位置が入出力端子側に移動され、当該入出力端子側に押し付けられるものである。
【００１５】
また、この発明に係るノイズフィルタは、機器の入出力端子に接続された突起状端子の径に対して広い内径を有し、当該突起状端子に挿入されて取り付けられる円筒状のノイズフィルタであって、入出力端子に当接し、押しばねにより自身を軸心方向に伸張可能な導電性の円筒の押しばね機構と、押しばね機構より突起状端子の先端側に位置する導電性の円筒の連結部材と、押しばね機構および連結部材間に配置され、一端が当該押しばね機構に導通し、他端が当該連結部材に導通し、両端以外の線材部分が円筒の絶縁体の中に埋め込まれた絶縁体被覆コイルと、連結部材の軸心周りに複数設けられ、当該連結部材を突起状端子に固定する固定機構とを備え、押しばね機構は、連結部材が突起状端子に固定された後に、押しばねにより自身が伸張することで入出力端子側に押し付けられるものである。
【００１６】
また、この発明に係るノイズフィルタは、機器の入出力端子に接続された突起状端子の径に対して広い内径を有し、当該突起状端子に挿入されて取り付けられる円筒状のノイズフィルタであって、入出力端子に当接する導電性のリングと、押しばねにより自身を軸心方向に伸張可能な導電性の円筒の押しばね機構と、リングおよび押しばね機構間に配置され、一端が当該リングに導通し、他端が押しばね機構に導通し、両端以外の線材部分が円筒の絶縁体の中に埋め込まれた絶縁体被覆コイルと、回転受け部材より突起状端子の先端側に位置する導電性の円筒の連結部材と、連結部材の軸心周りに複数設けられ、当該連結部材を突起状端子に固定する固定機構とを備え、押しばね機構は、連結部材が突起状端子に固定された後に、押しばねにより自身が伸張することで入出力端子側に押し付けられるものである。
【００１７】
また、この発明に係るノイズフィルタは、上記構成に加えてコンデンサ機能を具備する２端子部材の一方の端子を機器の入出力端子と絶縁体被覆コイルとの間に挟み込み、ノイズフィルタの持つ軸心方向の力によって固定し、２端子部材の他方の端子を金属筐体との間に導通させるものである。
【発明の効果】
【００１８】
この発明によれば、上記のように構成したので、異なる寸法の突起状端子に取り付け可能であり、振動のある環境で用いてもノイズフィルタが外れることがなく機器とノイズフィルタの接続状態を保つことができ、取り付けの手間が容易である。また、コンデンサ機能を具備する２端子部材を、容易に取り付けることができる。
【図面の簡単な説明】
【００１９】
【図１】この発明の実施の形態１に係るノイズフィルタの構成を示す分解斜視図である。
【図２】この発明の実施の形態１に係るノイズフィルタを図１のＡ−Ａ’線に沿って切断した断面図である。
【図３】この発明の実施の形態１に係るノイズフィルタを図２のＢ−Ｂ’線に沿って切断した断面図である。
【図４】この発明の実施の形態１に係るノイズフィルタを図２のＣ−Ｃ’線に沿って切断した断面図である。
【図５】この発明の実施の形態１に係るノイズフィルタの突起状端子固定具の一例を示す斜視図である。
【図６】この発明の実施の形態２に係るノイズフィルタの構成を示す分解斜視図である。
【図７】この発明の実施の形態２に係るノイズフィルタを図６のＤ−Ｄ’線に沿って切断した断面図である。
【図８】この発明の実施の形態３に係るノイズフィルタの構成を示す分解斜視図である。
【図９】この発明の実施の形態３に係るノイズフィルタを図８のＥ−Ｅ’線に沿って切断した断面図である。
【図１０】この発明の実施の形態３に係るノイズフィルタの押しばね機構の一例を示す斜視図である。
【図１１】この発明の実施の形態３に係るノイズフィルタの押しばね機構の図１０以外の一例を示す斜視図である。
【図１２】この発明の実施の形態４に係るノイズフィルタの構成を示す分解斜視図である。
【図１３】この発明の実施の形態４に係るノイズフィルタを図１２のＦ−Ｆ’線に沿って切断した断面図である。
【図１４】この発明の実施の形態５に係るノイズフィルタの構成を示す断面図である。
【図１５】この発明の実施の形態５に係るノイズフィルタの２端子部材の一例を示す説明図である。
【図１６】この発明の実施の形態５に係るノイズフィルタの２端子部材の変形例を示す説明図である。
【発明を実施するための形態】
【００２０】
以下、この発明の実施の形態について図面を参照しながら詳細に説明する。
実施の形態１．
図１はこの発明の実施の形態１に係るノイズフィルタ１の構成を示す分解斜視図であり、図２は図１のＡ−Ａ’線に沿って切断した断面図であり、図３は図２のＢ−Ｂ’線に沿って切断した断面図であり、図４は図２のＣ−Ｃ’線に沿って切断した断面図である。
【００２１】
このノイズフィルタ１は、突起状端子３を介してケーブルが接続される入出力端子２を有する機器に対し、突起状端子３に挿入されて取り付けられることで、ケーブルから入出力端子２に入る不要な電磁ノイズや、入出力端子２からケーブルに出る不要な電磁ノイズを除去するものである。
このノイズフィルタ１は、図１に示すように、リング１１、絶縁体被覆コイル１２、回転部材１３、支持部材１４および固定機構１５から構成されている。
【００２２】
リング１１は、入出力端子２に当接して導通する導電性の部材である。このリング１１の内径は、異なる寸法の各種の突起状端子３の径に対して広い径に設計されている。
【００２３】
絶縁体被覆コイル１２は、リング１１の後段に位置し、図２に示すように、両端以外の線材部分が円筒の絶縁体１２１の中に埋め込まれた部材である。この絶縁体被覆コイル１２の絶縁体１２１の内径は、異なる寸法の各種の突起状端子３の径に対して広い径に設計されている。また、絶縁体被覆コイル１２は、一端の端子１２２がリング１１に接続して導通し、他端の端子１２３が回転部材１３に接続して導通している。この絶縁体被覆コイル１２は、突起状端子３と絶縁の関係にある。
【００２４】
回転部材１３は、絶縁体被覆コイル１２の後段に位置し、背面（入出力端子２側の面とは反対側の面）に、軸心方向に沿ったねじ穴（螺合部）１３１を有する導電性の円筒の部材である。この回転部材１３の内径は、異なる寸法の各種の突起状端子３の径に対して広い径に設計されている。
この回転部材１３は、支持部材１４が突起状端子３に固定された後に、軸心周りに回転されることでねじ穴１３１・ねじ山１４１により自身の位置が入出力端子２側に移動され、リング１１を入出力端子２に押し付けるためのものである。
【００２５】
支持部材１４は、回転部材１３の後段に位置し、前面（入出力端子２側の面）に、ねじ穴１３１と螺合して導通するねじ山（被螺合部）１４１を有する導電性の円筒の部材である。この支持部材１４の内径は、異なる寸法の各種の突起状端子３の径に対して広い径に設計されている。また、支持部材１４の背面には、ケーブルが接続されるノイズフィルタ用端子１４２が取り付けられている。
【００２６】
また、図４に示すように、支持部材１４の外周面には、軸心周りに、後述する固定ねじ１５２と螺合するねじ穴１４３が複数設けられている。そして、支持部材１４のねじ穴１４３より内側には、後述する突起状端子固定具１５１を軸心側にガイドする固定具用溝１４４が設けられている。
【００２７】
固定機構１５は、支持部材１４の軸心周りに複数（図４では３つ）設けられ、支持部材１４を突起状端子３に固定するものである。この固定機構１５は、複数の突起状端子固定具１５１および複数の固定ねじ１５２から構成されている。複数の突起状端子固定具１５１は、支持部材１４の固定具用溝１４４内に軸心方向に移動可能に収納され、軸心方向に移動することで突起状端子３を挟持するものである。この突起状端子固定具１５１は、例えば図５に示すように略Ｔ字型に構成されている。また、複数の固定ねじ１５２は、支持部材１４の外周面に設けられたねじ穴１４３と螺合し、ねじ締めされることで突起状端子固定具１５１を支持部材１４の軸心側に押し付けるものである。
【００２８】
なお、リング１１は入出力端子２と絶縁体被覆コイル１２の端子１２２との間に導通があればよく、回転部材１３は絶縁体被覆コイル１２の端子１２３と支持部材１４との間に導通があればよく、支持部材１４は回転部材１３とノイズフィルタ用端子１４２に繋がるケーブルとの間に導通があればよい。そのため、リング１１、回転部材１３および支持部材１４の材質や塗装、メッキ等は、いずれであっても構わない。
また、突起状端子３と突起状端子固定具１５１との間には、電気的な絶縁があればよい。よって、突起状端子固定具１５１の材質や塗装、メッキ等は、いずれであっても構わない。
【００２９】
次に、上記のように構成されたノイズフィルタ１の突起状端子３への取り付け方法について説明する。
ノイズフィルタ１を取り付ける場合には、まず、突起状端子３に、リング１１、絶縁体被覆コイル１２、回転部材１３および支持部材１４を順に挿入する。なおこの段階では、回転部材１３と支持部材１４との間は奥までねじ締めされた状態にある。次に、固定ねじ１５２をねじ締めすることで突起状端子固定具１５１を突起状端子３に押し付け、支持部材１４を突起状端子３に固定する。
【００３０】
次に、回転部材１３を軸心周りに回転させ、ねじ穴１３１・ねじ山１４１により回転部材１３の位置を入出力端子２側に移動させることで、リング１１を入出力端子２側に押し付ける。このリング１１の入出力端子２への押し付けにより、入出力端子２とノイズフィルタ１とを安定して接続させ、導通状態を保つことができる。
ただし、入出力端子２とリング１１が接触した際に、リング１１と突起状端子固定具１５１以外の部材は、入出力端子２と突起状端子３に接触してはならず、かつねじ穴１３１とねじ山１４１は外れていないものとする。
【００３１】
ここで、ノイズフィルタ用端子１４２に繋がるケーブルにノイズ電流が重畳した場合、支持部材１４、ねじ山１４１、ねじ穴１３１、回転部材１３、絶縁体被覆コイル１２、リング１１、入出力端子２の順にノイズ電流が流れる。この際、ノイズ電流が絶縁体被覆コイル１２を経由することで、電磁ノイズを低減することが可能となる。よって、入出力端子２に電磁ノイズを除去した電流を供給することが可能となる。
逆に、入出力端子２に機器からのノイズ電流が重畳した場合、リング１１、絶縁体被覆コイル１２、回転部材１３、ねじ穴１３１、ねじ山１４１、支持部材１４、ノイズフィルタ用端子１４２の順にノイズ電流が流れる。この場合も、ノイズ電流が絶縁体被覆コイル１２を経由することで、電磁ノイズを低減することが可能となる。よって、ノイズフィルタ用端子１４２に電磁ノイズを除去した電流を供給することが可能となる。
【００３２】
以上のように、この実施の形態１によれば、機器の入出力端子２に接続された突起状端子３の径に対して広い内径を有し、当該突起状端子３に挿入されて取り付けられる円筒状のノイズフィルタ１であって、入出力端子２に当接する導電性のリング１１と、入出力端子２側の面とは反対側の面に軸心方向に沿ったねじ穴１３１を有する導電性の円筒の回転部材１３と、リング１１および回転部材１３間に配置され、一端が当該リング１１に導通し、他端が当該回転部材１３に導通し、両端以外の線材部分が円筒の絶縁体１２１の中に埋め込まれた絶縁体被覆コイル１２と、ねじ穴１３１と螺合したねじ山１４１を有する導電性の円筒の支持部材１４と、支持部材１４の軸心周りに複数設けられ、当該支持部材１４を突起状端子３に固定する固定機構１５とを備え、回転部材１３は、支持部材１４が突起状端子３に固定された後に、軸心周りに回転されることでねじ穴１３１・ねじ山１４１により自身の位置が入出力端子２側に移動され、リング１１を入出力端子２に押し付けるように構成した。よって、機器製造後にノイズフィルタ１の取り付けが可能であり、異なる寸法の突起状端子３に取り付け可能である。また、機器の突起状端子３に対して締め付けを行い、ノイズフィルタ１を機器に固定する構造であるため、振動のある環境で用いてもノイズフィルタ１が外れ難く、機器とノイズフィルタ１との接続状態を保つことができ、また、取り付けの手間が容易となる。
【００３３】
また、機器が有する入出力端子２とケーブルとの間にコイル１２が入ることで、高い周波数帯域でインピーダンスが高くなるため、低域通過フィルタとしての効果がある。そのため、本来伝導したい直流や低い周波数帯域の信号には影響を与えず、機器からケーブルへ伝導する高い周波数帯域のノイズや、ケーブルから機器へ伝導する高い周波数成分のノイズのみを低減できる。これにより、高い周波数成分のノイズがケーブルに混入し、ケーブルがアンテナとなることで発生する放射ノイズの問題や、ケーブルから機器内部へ混入することで機器内部の回路誤動作などのＥＭＣで起こりうる問題を防ぐことができる。また、突起状端子３が鉄などの磁性体である場合、本ノイズフィルタ１におけるコイル１２の鉄芯として作用するため、本ノイズフィルタ１のインダクタ成分が増加するため、低域通過フィルタとしての効果を高めることができる。
【００３４】
なお上記では、回転部材１３にねじ穴１３１を設け、支持部材１４に当該ねじ穴１３１に螺合するねじ山１４１を設けた場合について示したが、逆に、回転部材１３にねじ山を設け、支持部材１４に当該ねじ山に螺合するねじ穴を設けるようにしてもよい。
【００３５】
実施の形態２．
図６はこの発明の実施の形態２に係るノイズフィルタ１の構成を示す斜視図であり、図７はノイズフィルタ１を図６のＤ−Ｄ’線に沿って切断した断面図である。図６，７に示す実施の形態２に係るノイズフィルタ１は、図１〜５に示す実施の形態１に係るノイズフィルタ１からリング１１を削除し、回転部材１３を絶縁体被覆コイル１２の前段に配置し、支持部材１４をねじ山１４１を含む前部分（回転受け部材１６）と突起状端子固定具１５１を含む後部分（連結部材１７）とに分割したものである。その他の構成は同様であり、同一の符号を付してその説明を省略する。
【００３６】
回転受け部材１６は、回転部材１３の後段に位置し、前面（入出力端子２側の面）にねじ穴１３１と螺合して導通するねじ山１４１を有する導電性の円筒の部材である。この回転受け部材１６の内径は、異なる寸法の各種の突起状端子３の径に対して広い径に設計されている。
【００３７】
連結部材１７は、絶縁体被覆コイル１２の後段に位置する導電性の円筒の部材である。この連結部材１７の内径は、異なる寸法の各種の突起状端子３の径に対して広い径に設計されている。また、連結部材１７の背面には、ノイズフィルタ用端子１４２が取り付けられている。
また、連結部材１７の外周面には、軸心周りに、固定ねじ１５２と螺合するねじ穴１４３が複数設けられている。そして、ねじ穴１４３の内側には、突起状端子固定具１５１を軸心側にガイドする固定具用溝１４４（不図示）が設けられている。
【００３８】
なお、絶縁体被覆コイル１２は、図７に示すように、一端の端子１２２が回転受け部材１６に接続して導通し、他端の端子１２３が連結部材１７に接続して導通している。
また、回転部材１３は、入出力端子２に当接して導通する。そして、回転部材１３は、連結部材１７が突起状端子３に固定された後に、軸心周りに回転されることでねじ穴１３１・ねじ山１４１により自身の位置が入出力端子２側に移動され、入出力端子２に押し付けられる。
【００３９】
また、回転部材１３は入出力端子２と回転受け部材１６との間に導通があればよく、回転受け部材１６は回転部材１３と絶縁体被覆コイル１２の端子１２２との間に導通があればよく、連結部材１７は絶縁体被覆コイル１２の端子１２３とノイズフィルタ用端子１４２に繋がるケーブルとの間に導通があればよい。そのため、回転部材１３、回転受け部材１６および連結部材１７の材質や塗装、メッキ等は、いずれであっても構わない。
【００４０】
次に、上記のように構成されたノイズフィルタ１の突起状端子３への取り付け方法について説明する。
ノイズフィルタ１を取り付ける場合には、まず、突起状端子３に、回転部材１３、回転受け部材１６、絶縁体被覆コイル１２および連結部材１７を順に挿入する。なおこの段階では、回転部材１３と回転受け部材１６との間は奥までねじ締めされた状態にある。次に、固定ねじ１５２をねじ締めすることで突起状端子固定具１５１を突起状端子３に押し付け、連結部材１７を突起状端子３に固定する。
【００４１】
次に、回転部材１３を軸心周りに回転させ、ねじ穴１３１・ねじ山１４１により回転部材１３の位置を入出力端子２側に移動させることで、回転部材１３を入出力端子２側に押し付ける。この回転部材１３の入出力端子２への押し付けにより、入出力端子２とノイズフィルタ１とを安定して接続させ、導通状態を保つことができる。
ただし、入出力端子２と回転部材１３が接触した際に、回転部材１３と突起状端子固定具１５１以外の部材は、入出力端子２と突起状端子３に接触してはならず、かつねじ穴１３１とねじ山１４１は外れていないものとする。
【００４２】
ここで、ノイズフィルタ用端子１４２に繋がるケーブルにノイズ電流が重畳した場合、連結部材１７、絶縁体被覆コイル１２、回転受け部材１６、ねじ山１４１、ねじ穴１３１、回転部材１３、入出力端子２の順にノイズ電流が流れる。この際、ノイズ電流が絶縁体被覆コイル１２を経由することで、電磁ノイズを低減することが可能となる。よって、入出力端子２に電磁ノイズを除去した電流を供給することが可能となる。
逆に、入出力端子２に機器からのノイズ電流が重畳した場合、回転部材１３、ねじ穴１３１、ねじ山１４１、回転受け部材１６、絶縁体被覆コイル１２、連結部材１７、ノイズフィルタ用端子１４２の順にノイズ電流が流れる。この場合も、ノイズ電流が絶縁体被覆コイル１２を経由することで、電磁ノイズを低減することが可能となる。よって、ノイズフィルタ用端子１４２に電磁ノイズを除去した電流を供給することが可能となる。
【００４３】
以上のように、この実施の形態２によれば、リング１１を用いず、支持部材１４を回転受け部材１６および連結部材１７に分割しても、実施の形態１と同様の効果を得ることができる。
【００４４】
なお上記では、回転部材１３にねじ穴１３１を設け、回転受け部材１６に当該ねじ穴１３１に螺合するねじ山１４１を設けた場合について示したが、逆に、回転部材１３にねじ山を設け、回転受け部材１６に当該ねじ山に螺合するねじ穴を設けるようにしてもよい。
【００４５】
実施の形態３．
上記実施の形態１，２では、支持部材１４または回転受け部材１６に対して回転部材１３を回転させて入出力端末２側に移動させることで、リング１１または回転部材１３を入出力端子２に接触させ、導通させる場合について示した。それに対し、実施の形態３では、押しばね機構１８を用いて突起状端子３への軸心方向の力を発生させる場合について示す。
図８はこの発明の実施の形態３に係るノイズフィルタ１の構成を示す斜視図であり、図９はノイズフィルタ１を図８のＥ−Ｅ’線に沿って切断した断面図である。図８，９に示す実施の形態３に係るノイズフィルタ１は、図６，７に示す実施の形態２に係るノイズフィルタ１の回転部材１３および回転受け部材１６を押しばね機構１８に変更したものである。その他の構成は同様であり、同一の符号を付してその説明を省略する。
【００４６】
押しばね機構１８は、内部に設けられた押しばね１８１により自身が突起状端子３の軸心方向に伸張可能であり、入出力端子２に当接して導通する導電性の円筒部材である。この押しばね機構１８は、図１０に示すように、押しばね１８１、雌ばねケース１８２および雄ばねケース１８３から構成されている。
【００４７】
押しばね１８１は、雌ばねケース１８２および雄ばねケース１８３間に配置され、雌ばねケース１８２および雄ばねケース１８３を軸心方向に付勢するものである。
【００４８】
雌ばねケース１８２は、入出力端子２に当接して導通する導電性の円筒部材であり、背面（入出力端子２側の面とは反対側の面）に、自身を軸心方向に移動させるための可動域ガイド１８２１を有している。この雌ばねケース１８２の内径は、異なる寸法の各種の突起状端子３の径に対して広い径に設計されている。
【００４９】
雄ばねケース１８３は、雌ばねケース１８２の後段に位置し、前面（入出力端子２側の面）に可動域ガイド１８２１と係合して導通する可動域ガイド１８３１を有する導電性の円筒部材である。この雄ばねケース１８３の内径は、異なる寸法の各種の突起状端子３の径に対して広い径に設計されている。
【００５０】
この押しばね機構１８では、可動域ガイド１８２１と可動域ガイド１８３１との重なり合う寸法により、雌ばねケース１８２および雄ばねケース１８３の可動域が決定される。
【００５１】
また、押しばね機構１８を図１１に示すような構成としてもよい。
図１１に示す押しばね機構１８は、雌ばねケース１８２と雄ばねケース１８３との間の導通構造を、可動域ガイド１８２１，１８３１以外の構造で実現するものであり、ジャンパー線１８４を用いたものである。
ジャンパー線１８４は、雌ばねケース１８２と雄ばねケース１８３とを接続して導通するものである。このジャンパー線１８４は、可動域ガイド１８２１，１８３１の構造や材質等により電気的な接続状態が変化する場合であっても、雌ばねケース１８２と雄ばねケース１８３との導通を確保するために取り付けられるものである。
【００５２】
また、ジャンパー線１８４を用いる方法以外にも、導電性の押しばねを雌ばねケース１８２と雄ばねケース１８３との間に入れ、導電性の押しばねが雌ばねケース１８２と雄ばねケース１８３に接触することで、導通を確保する方法もある。
導電性の可動域ガイド１８２１，１８３１、ジャンパー線１８４や導電性の押しばねを用いた例に限らず、雌ばねケース１８２と雄ばねケース１８３との導通が保たれるならば、その構造はいずれであっても構わない。
【００５３】
次に、上記のように構成されたノイズフィルタ１の突起状端子３への取り付け方法について説明する。
ノイズフィルタ１を取り付ける場合には、まず、突起状端子３に、押しばね機構１８、絶縁体被覆コイル１２および連結部材１７を順に挿入する。なおこの段階では、押しばね機構１８は、側面から取り外し可能な留め具により、押しばね１８１が縮まった状態にある。次に、固定ねじ１５２によって、突起状端子固定具１５１を突起状端子３に押し付け、連結部材１７を突起状端子３に固定する。
【００５４】
次に、留め具を取り外して押しばね１８１を開放させ、雌ばねケース１８２の位置を入出力端子２側に移動させることで、雌ばねケース１８２を入出力端子２側に押し付ける。この雌ばねケース１８２の入出力端子２への押し付けにより、入出力端子２とノイズフィルタ１とを安定して接続させ、導通状態を保つことができる。
ただし、入出力端子２と雌ばねケース１８２が接触した際に、押しばね機構１８と突起状端子固定具１５１以外の部材は、入出力端子２と突起状端子３に接触してはならない。また、押しばね機構１８は、連結部材１７を突起状端子３に固定する際に押しばね１８１が縮まった状態であればよいので、留め具に限らず、工具を用いる等取り付け方はいずれでも構わない。
【００５５】
以上のように、この実施の形態３によれば、突起状端子３への軸心方向の力を押しばね機構１８により実現するように構成しても、実施の形態１，２と同様の効果を得ることができる。
【００５６】
なお上記では、雌ばねケース１８２を入出力端子２に当接させる場合について示した。それに対して、雌ばねケース１８２と雄ばねケース１８３の位置を交換して、雄ばねケース１８３を入出力端子２に当接させるようにしてもよい。
【００５７】
実施の形態４．
図１２はこの発明の実施の形態４に係るノイズフィルタ１の構成を示す斜視図であり、１３はノイズフィルタ１を図１２のＦ−Ｆ’線に沿って切断した断面図である。図１２，１３に示す実施の形態４に係るノイズフィルタ１は、図８，９に示す実施の形態３に係るノイズフィルタ１にリング１１を追加し、押しばね機構１８を絶縁体被覆コイル１２の後段に配置したものである。その他の構成は同様であり、同一の符号を付してその説明を省略する。
【００５８】
なお、突起状端子３に導電性があり、電流が入出力端子２からリング１１、絶縁体被覆コイル１２、雌ばねケース１８２、押しばね１８１（またはジャンパー線１８４）、雄ばねケース１８３、連結部材１７に流れる場合には、押しばね１８１、雌ばねケース１８２および雄ばねケース１８３は、突起状端子２と電気的な導通がないものとする。
【００５９】
次に、上記のように構成されたノイズフィルタ１の突起状端子３への取り付け方法について説明する。
ノイズフィルタ１を取り付ける場合には、まず、突起状端子３に、リング１１、絶縁体被覆コイル１２、押しばね機構１８および連結部材１７を順に挿入する。なおこの段階では、押しばね機構１８は、側面から取り外し可能な留め具により、押しばね１８１が縮まった状態にある。次に、固定ねじ１５２によって、突起状端子固定具１５１を突起状端子３に押し付け、連結部材１７を突起状端子３に固定する。
【００６０】
次に、留め具を取り外して押しばね１８１を開放させ、雌ばねケース１８２の位置を入出力端子２側に移動させることで、リング１１を入出力端子２側に押し付ける。このリング１１の入出力端子２への押し付けにより、入出力端子２とノイズフィルタ１とを安定して接続させ、導通状態を保つことができる。
ただし、入出力端子２とリング１１が接触した際に、リング１１と突起状端子固定具１５１以外の部材は、入出力端子２と突起状端子３に接触してはならない。また、押しばね機構１８は、連結部材１７を突起状端子３に固定する際に押しばね１８１が縮まった状態であればよいので、留め具に限らず、工具を用いる等取り付け方はいずれでも構わない。
【００６１】
以上のように、この実施の形態４によれば、ノイズフィルタ１にリング１１を追加して押しばね機構１８を絶縁体被覆コイル１２の後段に配置するように構成しても、実施の形態３と同様の効果を得ることができる。
【００６２】
なお上記において、雌ばねケース１８２と雄ばねケース１８３の位置を交換してもよく、同様の効果を得ることができる。
【００６３】
実施の形態５．
上記実施の形態１〜４では、絶縁体被覆コイル１２による１段のフィルタを構成した場合を示した。それに対し、実施の形態５では、コンデンサ機能を具備する２端子部材４を追加し、絶縁体被覆コイル１２とコンデンサ４２３による多段フィルタを構成した場合を示す。
図１４は、この発明の実施の形態５に係るノイズフィルタの一例であり、実施の形態１に係るノイズフィルタ１に、２端子部材４を追加した構成を示す断面図である。図において、図１〜５と同様な機能を有する部分は、同一の符号を付して、その説明を省略する。図１５は、実施の形態５に係る２端子部材４の具体的な構成の一例を示す説明図である。なお、図１４において、入出力端子２と機器の金属筐体５との間は塗装や部材等により絶縁されているものとする。
図１４，図１５に示すとおり、２端子部材４は、一方の端子である入出力端子接続部材４１と、他方の端子である筐体接続部材４２と、両者を接続するジャンパー線４３とで構成される。
【００６４】
入出力端子接続部材４１は、入出力端子２とリング１１との間に配置され、両者を導通する導電性のリング状の部材である。この入出力端子接続部材４１の内径は、異なる寸法の各種の突起状端子３の径に対して広い径に設計されている。
【００６５】
筐体接続部材４２は、誘電体部材４２１の片面に、コンデンサ４２３と、コンデンサ４２３の両極にそれぞれ接続された配線パターン４２２とを実装して構成される。
また、コンデンサ４２３の片方の極に接続される側の配線パターン４２２および誘電体部材４２１を貫通する筐体接続用ねじ穴４２４を有し、金属筐体接続ねじ６によって金属筐体５に接続されて導通する。
【００６６】
ジャンパー線４３は、入出力端子接続部材４１と、ネジ穴を有さない側の配線パターン４２２とを接続し、両者を導通する。
なお、ジャンパー線４３は連結部材の一例である。連結部材は屈曲可能な導電性材料を用いればよく、その形状や構造は問わない。
【００６７】
次に、上記のように構成された２端子部材４の、突起状端子３および金属筐体５への取り付け方法について説明する。
まず、入出力端子接続部材４１を突起状端子３に挿通し、次いでノイズフィルタ１を突起状端子３に挿通する。これにより、入出力端子接続部材４１は、入出力端子２とノイズフィルタ１との間に挟まれ、ノイズフィルタ１の回転部材１３を回転することで得られる軸心方向の力によって固定される。
【００６８】
次に、ジャンパー線４３で接続された筐体接続部材４２を、金属筐体接続ねじ６を用いて金属筐体５に固定する。
筐体接続部材４２は、ジャンパー線４３の長さの範囲で、入出力端子２と金属筐体５の距離に依らず、金属筐体５の任意の位置に取り付けることができる。この際、配線パターン４２２は、金属筐体５に接続されて導通する。
これにより、入出力端子２とグランドである金属筐体５とがコンデンサ４２３を介して接続され、絶縁体被覆コイル１２とキャパシタ４２３による多段フィルタが構成される。
【００６９】
以上のように、この実施の形態５によれば、入出力端子２とノイズフィルタ１との間に配置され、突起状端子３の径に対して広い内径を有して当該突起状端子３に挿入される、導電性のリング状の入出力端子接続部材４１と、金属筐体５と導通する機構を有する筐体接続部材４２と、入出力端子接続部材４１と筐体接続部材４２とを接続するジャンパー線４３とを備え、筐体接続部材４２にコンデンサ４２３を実装し、入出力端子２と金属筐体５とがコンデンサ４２３を介して導通するように構成した。
よって、突起状端子３に取り付けるフィルタにおいて、絶縁体被覆コイル１２とコンデンサ４２３による多段フィルタが構成され、より高いフィルタ性能を得ることができる。また、取り付けの手間が容易な多段フィルタを得ることができる。
【００７０】
なお、コンデンサ４２３は、キャパシタンス成分を有する部材であればよく、その形状や構造は問わない。
また、図１４，図１５では、コンデンサ４２３を筐体用接続端子４２に実装した例を示したが、入出力端子２と金属筐体５とがコンデンサ４２３を介して導通するものであればよく、コンデンサ４２３を入出力端子接続部材４１やジャンパー線４３に実装してもよい。
【００７１】
また、図１４，図１５では、入出力端子２とリング１１との間に入出力端子接続部材４１を設けた例を示したが、入出力端子接続部材４１は入出力端子２と導通していればよく、リング１１と絶縁体被覆コイル１２との間に配置されてもよい。
【００７２】
また、図１４，図１５では、実施の形態１のノイズフィルタ１に２端子部材４を追加した例を示したが、同様に実施の形態２〜４のノイズフィルタ１に２端子部材４を追加しても構わない。
特に、実施の形態３，４のように、回転機構１３に代えて押しばね機構１８を用いる場合、入出力端子接続部材４１を省き、雌ばねケース１８２または雄ばねケースと筐体用接続端子４２とをジャンパー線４３で接続してもよい。この場合、より少ない部品点数で多段フィルタの効果を実現できる。
【００７３】
また、図１６に示すように、ジャンパー線４３を省き、一端部が入出力端子接続部材４１であり、かつ他端部が筐体接続部材４２である２端子部材４を一体で設計してもよい。この場合、より少ない部品点数で多段フィルタの効果を実現できる。
【００７４】
また、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００７５】
１  ノイズフィルタ、２  入出力端子、３  突起状端子、４  ２端子部材、５  金属筐体、６  金属筐体接続ねじ、１１  リング、１２  絶縁体被覆コイル、１３  回転部材、１４  支持部材、１５  固定機構、１６  回転受け部材、１７  連結部材、１８  押しばね機構、４１  入出力端子接続部材、４２  筐体接続部材、４３  ジャンパー線、１２１  絶縁体、１２２，１２３  端子、１３１  ねじ穴（螺合部）、１４１  ねじ山（被螺合部）、１４２  ノイズフィルタ用端子、１４３  ねじ穴、１４４  固定具用溝、１５１  突起状端子固定具、１５２  固定ねじ、１８１  押しばね、１８２  雌ばねケース、１８３  雄ばねケース、１８４  ジャンパー線、４２１  誘電体部材、４２２  配線パターン、４２３  コンデンサ、４２４  筐体接続用ねじ穴、１８２１，１８３１  可動域ガイド。
【図１】
2014207649.tif 000003
【図２】
2014207649.tif 000004
【図３】
2014207649.tif 000005
【図４】
2014207649.tif 000006
【図５】
2014207649.tif 000007
【図６】
2014207649.tif 000008
【図７】
2014207649.tif 000009
【図８】
2014207649.tif 000010
【図９】
2014207649.tif 000011
【図１０】
2014207649.tif 000012
【図１１】
2014207649.tif 000013
【図１２】
2014207649.tif 000014
【図１３】
2014207649.tif 000015
【図１４】
2014207649.tif 000016
【図１５】
2014207649.tif 000017
【図１６】
2014207649.tif 000018